(57)【要約】      （修正有）【課題】タグを大きくすることなく、必要最小限の配線設備関連の情報を目視により取得し、必要に応じて多量の情報を得られるようにする。【解決手段】通信コード１には文字の形態で記載されたサービス情報および２次元コードからなる識別情報とが記載された情報タグ７と設備情報が記載された情報タグ５が取付られる。【選択図】図４
2005134816.tif 000002
【特許請求の範囲】
【請求項１】
コードに取り付けると共に、そのコードを有する配線設備に関する情報を記載した情報タグにおいて、
該情報タグに前記情報を文字および２次元コードの形態で記載したことを特徴とする情報タグ。
【請求項２】
請求項１に記載の情報タグにおいて、前記情報タグは
サービス情報に関する情報を文字および２次元コードの形態で記載した第１の情報タグと前記設備情報に関する情報を２次元コードの形態で記載した第２の情報タグを有することを特徴とする情報タグ
【請求項３】
請求項２に記載の情報タグにおいて、前記第１の情報タグおよび前期第２の情報タグを別体構成となしたことを特徴とする情報タグ。
【発明の詳細な説明】
【技術分野】
【０００１】
本発明は、装置間を接続するコードなどの配線設備の運用状況を管理することを目的として、配線設備の一部の通信コード等に取り付けられる情報タグに関する。
【背景技術】
【０００２】
通信装置間を接続するコードの従来の運用管理に使用している情報タグの一例を図１に示す。
【０００３】
図１において、１は光ファイバコードなどの通信用コードである。２は配線固有の情報や装置間の接続情報など配線設備の内容を示す設備情報を記載した情報タグである。情報タグ２に記載された設備情報を目視により確認し、情報タグ２が配設された通信コード１を対応する装置に接続する。情報タグ２に多量の情報を記載しようとすると、情報タグ２が大きくなり、複数の通信コードが密に配設されるような環境では、接続する者(以下、接続者と称す)にとっては、現在、接続しようとする目的の情報タグ２を探しにくいという不便さが従来の情報タグには生じる。
【０００４】
従来の配線設備管理用の情報タグの他の例を図２に示す。図２において図１と同様の箇所には同様の符号を付している。図２において、１は通信（用）コード、３は２枚のプラスチック製の平板である。４は配線固有の情報や接続情報などの設備情報を、２次元コードの形態で表し（エンコードし）、この２次元コードを記載したラベルである。ラベル４は２枚のプラスチック平板の間に挟まれる。このような情報タグに記載された２次元コードの示す識別情報を不図示の２次元コードリーダに読み取り、バーコーを設備情報そのものに変換したり、あるいは、２次元コードの示す識別情報に対応する設備情報を蓄積したコンピュータシステムに接続者がアクセスすることにより、接続者は設備情報を取得する。
【０００５】
図２に示す情報タグは、データベースに多量の情報を蓄積することができるという利点がある反面、記載情報が２次元コードのため、接続者が目視した場合、設備情報の内容を知ることはできない。また、２次元コードリーダを使用して２次元コードを読み取ることは接続者にとって非常に煩わしいという不便さがある。
【０００６】
従来のさらに他の情報タグの例を図３に示す。図３において、図１と同様の箇所には同様の符号を付している。図３において、１は通信用コード、６はサービス情報として相手先、サービス内容、サービス開始日等のサービス情報を手書き記載した情報タグである。図１の情報タグとは記載された情報内容が異なる。
【発明の開示】
【発明が解決しようとする課題】
【０００７】
以上説明したように目視確認できる情報タグ(図１および図３)および２次元コードで記載された情報タグにはそれぞれ長所および短所があり、接続者にとっては好ましいものではなかった。そこで、本発明の目的は双方の長所を生かした配線設備用情報タグを提供することを目的とする。
【課題を解決するための手段】
【０００８】
このような目的を達成するために、請求項１の発明は、通信コードに取り付けると共に、その通信コードを有する配線設備に関する情報を記載した情報タグにおいて、該情報タグに前記情報を文字および２次元コードの形態で記載したことを特徴とする。
【０００９】
請求項２の発明は、請求項１に記載の情報タグにおいて、前記情報タグは
サービス情報に関する情報を文字および２次元コードの形態で記載した第１の情報タグと前記設備情報に関する情報を２次元コードの形態で記載した第２の情報タグを有することを特徴とする。
【００１０】
請求項３の発明は、請求項２に記載の情報タグにおいて、前記第１の情報タグおよび前期第２の情報タグを別体構成となしたことを特徴とする。
【発明の効果】
【００１１】
以上、説明したように、本発明では、配線設備に関する情報、たとえば、サービス情報を文字と２次元コードの形態で記載することにより、接続者は、必要最小限の情報を目視により取得することができ、また、必要に応じて２次元コードを使用して、多量の情報を得ることができる。
【００１２】
また、情報内容が頻繁に変わるサービス情報と、内容が固定の場合が多い、時節日情報とを別々の情報タグに記載しておくことにより、接続者はサービス情報関連の情報タグのみを交換すればよい。
【発明を実施するための最良の形態】
【００１３】
以下、図面を参照して本発明の実施形態を説明する。
図４は本発明を適用した第１の情報タグの構成を示す。図４において、図１〜３と同様の箇所には同様の符号を付している。図４において、１は通信コード、３は２枚のプラスチック製の平板である。４は配線固有の情報や接続情報など配線設備の内容を示す配線設備情報および／またはその配線設備情報を、上述のデータベースから取り出すための識別情報（いわゆる識別コード）を記載したラベルである。５は設備情報を記載した情報タグである。７は、サービス情報を文字の形態で記載すると共に、このサービス情報および／またはサービス情報を上述のデータベースから取り出すための識別情報を記載した２次元コードを記載した情報タグである。タグ５に記載する設備情報は、変化しない情報が好ましく、通信コード１製作後に通信コード１に取り付けるとよい。また、記載の方法としてはレーザマーキングなどの方法を使用するとよい。
【００１４】
この例の特徴は、サービス情報が文字の形態で表されると共に、２次元コードの形態でも表されている点である。
【００１５】
本発明実施形態の他の例を図５に示す。図４と同様の箇所には同様の符号を付している。１は通信用コード、３は２枚のプラスチック製の平板である。４は配線設備に係わる設備情報および／または上記識別情報を記載したラベルである。５は平板３およびラベル４を有する情報タグである。８はサービス情報を文字の形態で記載すると共に、サービス情報に係わる情報（識別情報およびまたはサービス情報）を２次元コードの形態で記載した情報タグである。この例では情報タグ８の取り付け方向が図４の例と異なる。
【００１６】
上述の実施形態の他に次の形態を実施できる。
１）上述の例では、２つの情報タグを通信コードに取り付けているが、情報タグを一体化してもよいことは勿論である。
２）文字および２次元コードの記載には公知の印刷方法、たとえば、レーザビーム印刷やインクジェット印刷などの方法を使用するとよい。
３）文字形態のサービス情報および／またはサービス情報は、接続者が最低限必要とする情報とし、２次元コードにより取得する情報、すなわち、データベースに蓄積しておく情報は、該当する設備情報すべてとするとよい。
【図面の簡単な説明】
【００１７】
【図１】従来の情報タグの例を示す平面図である。
【図２】従来の他の情報タグの例を示す平面図である。
【図３】従来の他の情報タグの例を示す平面図である。
【図４】本発明実施形態の情報タグの例を示す平面図である。
【図５】本発明実施形態の他の情報タグの例を示す平面図である。
【符号の説明】
【００１８】
１  通信コード
２、５、６，７、８  情報タグ
３  平板
４  ラベル
【図１】
2005134816.tif 000003
【図２】
2005134816.tif 000004
【図３】
2005134816.tif 000005
【図４】
2005134816.tif 000006
【図５】
2005134816.tif 000007